(57)【要約】      （修正有）【課題】体積が小さく、取り付け、組み立てが容易で、且つ操作、押圧に便利な発光体を有するボタンスイッチを提供する。【解決手段】スイッチの基台１内部の操作空間１０において、底部に押圧接点１０２、２つの支持接点１０１を設け、且つ押圧部２の金属弾性片２１、弾性隔離片２２、移動キー２３及び押圧キー２４を組み立てることができ、金属弾性片の縁辺により２つの相対する支持接点に接触し、金属弾性片上方に弾性隔離片及び移動キーを重ね置き、移動キー底部に支持面を凸設し、弾性隔離片を押すことができ、他側上部に２つの相対する側立板２３２を凸設し、定位台３の２つの相対する貫通溝３１を貫通させることができ、定位台内部に基台の操作空間に相対する収容空間を設け、同時に移動キーを収納安置させることができ、定位台他側の２つの貫通溝間の収容溝３２に発光体３３を収納する。【選択図】図２
0003189477.tif 000002
【実用新案登録請求の範囲】
【請求項１】
基台、定位台及び押圧部を含み、そのうち、
該基台内部に凹陥する操作空間を形成し、且つ操作空間底部の２つの相対する側辺にそれぞれ支持接点、及び２つの支持接点の間に位置する押圧接点を設け、
該押圧部は、基台の操作空間箇所に取り付けられ、縁辺により２つの相対する支持接点の中央隆起に接触する金属弾性片を設け、金属弾性片上方に弾性隔離片及び移動キーを重ね置き、移動キー底部は、弾性隔離片を押し、金属弾性片の押圧接点への接触を支持する突起状の支持面を設け、相対する支持面の移動キーの他側上部は、２つの相対する側立板を凸設し、更に２つの側立板上に押圧キーを組み立て、結合し、
該定位台は、移動キーに貫通設置され、基台上に位置し、内部に一側面が鏤空状を呈し、基台の操作空間に相対して移動キーを収容させる収容空間を設け、収容空間から外へ移動キーの２つの側立板を貫通設置させる相対式貫通の２つの貫通溝を設け、且つ収容空間に相対する定位台他側の２つの貫通溝間に発光体を収納する収容溝を設ける発光体を有するボタンスイッチ。
【請求項２】
前記基台の操作空間内に設置する２つの支持接点及び押圧接点は、それぞれ基台底部に延伸し、基台各側辺に露出する電極接続ピンを設け、且つ基台の操作空間外部の表面、定位台の収容空間外部表面は、それぞれ基台、定位台を相対して組み立て、嵌合固定、結合させる接合部を設け、接合部は、基台の操作空間外部表面、定位台の収容空間外部表面にそれぞれ相対して組み立て、嵌合される固定柱及び定位孔、挿入ピン及び挿入孔及び定位孔又は螺釘及び定位孔及び螺子孔を設ける請求項１に記載の発光体を有するボタンスイッチ。
【請求項３】
前記押圧部は、押圧キー、移動キー、弾性隔離片及び金属弾性片を含み、且つ押圧キー上部表面に押圧ブロック(押圧領域)を有し、底部に移動キーの２つに側立板と相対して組み立て、結合される溶接台を設け、溶接台は、中空枠体を呈し、２つの相対側にそれぞれ相対する嵌合体を設け、溶接台の２つの嵌合体を利用し、それぞれ移動キーを２つの側立板間に形成される限位溝内に嵌合することができ、且つ溶接台の他の２つの相対側及び移動キーの２つの側立板上部にそれぞれ相対する嵌合体、組み立てられるラッチ溝及びラッチを設け、移動キーの定位台の２つの貫通溝間に設けられる収容溝に貫通設置され、収容溝底部に２つの電極接触面を設け、２つの電極接触面にそれぞれ定位台外側に延伸する溶接ピンを設け、収容溝内に収納される発光体は、底部に２つの電気接触面と電気接触する２つの電極ピンを設ける請求項１に記載の発光体を有するボタンスイッチ。
【考案の詳細な説明】
【技術分野】
【０００１】
本考案は、発光体を有するボタンスイッチに関し、特に、体積が小さく、質量が軽く、空間を占有しないボタンスイッチに関し、基台、定位台の間に活動的に組み立てる押圧部を利用し、ボタンスイッチの高さを低減し、軽薄短小の設計理念に適合させる。
【背景技術】
【０００２】
ハイテクノロジー時代の到来に伴い、各種電子、電気製品は、大量に日常生活、職場に応用され、生活及び仕事の効率、利便性を向上させており、各種電子、電気製品は、室内で使用される以外に、多くが可携帯式で時間、場所の拘束、制限を受けない。
例えば、ノート型パソコン、マルチメディアプレイヤー、ＰＤＡ、携帯電話、デジタルカメラ等は、何れも随時携帯、使用される電子、電気製品であり、且つ各種電子、電気製品は、更に、携帯、使用に便利である為、電子、電気製品の設計は、何れも軽薄短小の理念方向へ設計が行われ、電子、電気製品の体積が小さく、携帯に便利な使用モードに適合する為、電子、電気製品が使用する各種部品、アクセサリ等も伴って縮小化、軽薄化されている。
【０００３】
各種電子、電気製品に使用される部品、アクセサリにおいて、押圧式スイッチも相当普遍的に使用される部品であり、例えば、デジタルカメラの撮影ボタンに使用され、二段式の押圧スイッチを形成し、１回目の押圧で先ずフォーカスを行い、２回目の押圧で撮影、撮影取得したイメージの操作制御を行うが、現在使用される押圧式スイッチ、例えば、図８に示すような従来のボタンスイッチは、従来の設計方式によるものであり、殻体Ａ及び蓋体Ａ１内部にボタンＡ２を組み立て、且つボタンＡ２に２つのダイオード素材Ａ３を更に取り付け、各種構成部材の構造が複雑であるので、成型の体積が大きく、組み立て過程で相当時間、費用を費やす。
そして、ボタンスイッチに組み立てた後、堆積される厚さが高く、体積が大きなボタンスイッチになり、使用時、押圧を行う過程が長くなり、押圧が不確実な押し間違い状況が発生し易く、ボタンスイッチを一般の電子、電気製品に応用する時、電子、電気製品の回路板上で比較的大きな空間レイアウトを占用する。
従って、電子電気製品も、ボタンスイッチを収納させることができる十分な空間を必要とし、電子、電気製品の体積も大きくなり、電子、電気製品の軽薄短小の設計要求に適合しない。
【０００４】
従来のボタンスイッチの体積が大きく、厚さが高く、電子、電気製品の設計、使用に適合しない問題、及びボタンスイッチの各部品の体積が大きく、製造コストが高く、組み立てが容易でない等の欠陥を如何に解決するかは、本業界に従事する関連メーカーが研究改善を欲するところである。
【先行技術文献】
【特許文献】
【０００５】
【特許文献１】特開２００７−２５８０６３号公報
【考案の概要】
【考案が解決しようとする課題】
【０００６】
そこで、本考案者は、上記問題及び欠陥に鑑み、関連資料を収集し、多方面の評価、考慮を経て、本業界に従事した累積する長年の経験により、絶え間ない試行、修正を行い、ようやくこの種の体積が小さく、取り付け、組み立てが容易で電子製品の設計要求に適合し、且つ操作、押圧に便利な発光体を有するボタンスイッチを設計する考案を誕生させている。
【０００７】
本考案の主な目的は、該スイッチの基台内部の操作空間において、底部に押圧接点、２つの支持接点を設け、且つ押圧部の金属弾性片、弾性隔離片、移動キー及び押圧キーを組み立てることができることである。
また、金属弾性片の縁辺により２つの相対する支持接点に接触し、金属弾性片上方に弾性隔離片及び移動キーを重ね置き、移動キー底部に支持面を凸設し、弾性隔離片を押すことができ、他側上部に２つの相対する側立板を凸設し、定位台の２つの相対する貫通溝を貫通設計させることができ、定位台内部に基台の操作空間に相対する収容空間を設け、同時に移動キーを収納安置させることができることである。
更に、定位台他側の２つの貫通溝間の収容溝に発光体を収納させ、体積が薄く、小さなボタンスイッチを構成し、軽薄な電子製品に適用可能であり、空間を占有しないようにすることである。
【課題を解決するための手段】
【０００８】
本考案の発光体を有するボタンスイッチは、基台、定位台及び押圧部を含み、そのうち、該基台内部に凹陥する操作空間を形成し、且つ操作空間底部の２つの相対する側辺にそれぞれ支持接点、及び２つの支持接点の間に位置する押圧接点を設け、該押圧部は、基台の操作空間箇所に取り付けられ、縁辺により２つの相対する支持接点の中央隆起に接触する金属弾性片を設け、金属弾性片上方に弾性隔離片及び移動キーを重ね置き、移動キー底部は、弾性隔離片を押し、金属弾性片の押圧接点への接触を支持する突起状の支持面を設け、相対する支持面の移動キーの他側上部は、２つの相対する側立板を凸設し、更に２つの側立板上に押圧キーを組み立て、結合し、該定位台は、移動キーに貫通設置され、基台上に位置し、内部に一側面が鏤空状を呈し、基台の操作空間に相対して移動キーを収容させる収容空間を設け、収容空間から外へ移動キーの２つの側立板を貫通設置させる相対式貫通の２つの貫通溝を設け、且つ収容空間に相対する定位台他側の２つの貫通溝間に発光体を収納する収容溝を設ける。
【考案の効果】
【０００９】
上記本考案の発光体を有するボタンスイッチの実際の使用時、以下の各利点を有することができる：
（一）ボタンスイッチの基台１、押圧部２及び定位台３は、寸法が小さく、厚さが薄く、全体の体積が軽薄短小であり、多くの空間を占有せず、ハイテクノロジーの電子、電気製品の設計理念に適合する。
（二）ボタンスイッチの押圧過程が短く、押圧がより確実であり、スイッチの動作の確認が容易であり、ボタンスイッチの切り換え効果を向上することができる。
【図面の簡単な説明】
【００１０】
【図１】本考案の立体外観図である。
【図２】本考案の立体分解図である。
【図３】本考案の他の方向の立体分解図である。
【図４】本考案の側面断面図である。
【図５】本考案の押圧前の側面断面図である。
【図６】本考案の押圧後の側面断面図である。
【図７】本考案の好適実施例の立体外観図である。
【図８】従来のボタンスイッチの立体分解図である。
【考案を実施するための形態】
【００１１】
上記の目的及び効果を達成する為に本考案が採用する技術及びその構造について分かり易くする為、図面に合わせた本考案の好適実施例を挙げ、その特徴及び機能を以下に詳細に説明する。
【００１２】
図１、図２、図３を参照して説明する。それは、本考案の立体外観図、立体分解図、もう１つの方向の立体分解図、側面断面図であり、図から明確に分かるように、本考案のスイッチは、基台１、押圧部２、定位台３を含む。
【００１３】
該基台１内部に操作空間１０を有し、且つ操作空間１０底部の２つの相対側辺にそれぞれ支持接点１０１を設け、２つの相対する支持接点１０１の間に、押圧接点１０２を設け、２つの支持接点１０１、押圧接点１０２は、それぞれ電極接続ピン１０３を設け、且つ各電極接続ピン１０３は、それぞれ基台１の底部及び外側辺まで延伸する。
【００１４】
該押圧部２は、金属弾性片２１、弾性隔離片２２、移動キー２３及び押圧キー２４を含み、且つ金属弾性片２１は、中央隆起状を呈し、周縁に平面状の縁辺２１１を設け、金属弾性片２１上に弾性隔離片２２、移動キー２３を重ね置き、移動キー２３底部に支持面２３１を凸設し、他側上部には、２つの相対する側立板２３２を凸設し、２つの側立板２３２の２つの相対する側辺は、それぞれ相対する限位溝２３３を形成する。
且つ、２つの側立板２３２は、外側に相対する上部にそれぞれラッチ２３４を設け、２つの側立板２３２を利用し、押圧キー２４底部の溶接ソケット(溶接台)２４１に取り付け、溶接ソケット(溶接台)２４１は、押圧キー２４底部に突出し、中空枠体状を呈し、２つの相対側辺にそれぞれラッチ溝２４１１を設け、２つの側立板２３２上部のラッチ２３４を互いに嵌合、係合、定位させることができ、溶接ソケット(溶接台)２４１の他の２つの相対する側辺にそれぞれ嵌合耐２４１２を凸設し、２つの嵌合体２４１２を利用し、それぞれ２つの側立板２３２の二側の相対する限位溝２３３内に支持する。押圧キー２４の溶接部２４１から離す他側表面に施力押圧させる押圧ブロック(押圧領域)２４２を設ける。
【００１５】
該定位台３内部に収容空間３０を設け、収容空間３０底部に他側に向けて２つの貫通式の貫通溝３１を設け、２つの貫通溝３１間において、収容溝３２を設け、且つ収容溝３２底部に２つの相対する電極接触面３２１を設け、２つの電極接触面３２１にそれぞれ溶接ピン３２２を設け、２つの溶接ピン３２２をそれぞれ定位台３外側に延伸させ、収容溝３２内に発光体３３を安置させることができ、発光体３３底部の２つの電極ピン３３１は、それぞれ収容溝３２底部の２つの電極接触面３２１に電気接触される。
【００１６】
上記各部材の組み立て時、基台１の操作空間１０を利用し、押圧部２を活動可能に取り付けさせ、操作空間１０により金属弾性片２１、弾性隔離片２２を堆積式に安置させ、且つ金属弾性片２１の縁辺２１１は、操作空間１０底部の２つの支持接点１０１に電気接触し、弾性隔離片２２上部は、移動キー２３底部に凸設する支持面２３１を接触させ、移動キー２３他側の２つの側立板２３２は、定位台３の２つの貫通溝３１を貫通設置させ、定位台３を基台１上に組み立て、結合させる。
移動キー２３上部の押圧キー２４は、押圧ブロック(押圧領域)２４２により外部施力の押圧を受け、下向きに移動キー２３を押すことができ、移動キー２３底部の支持面２３１により弾性隔離片２２、金属弾性片２１を押し、金属弾性片２１を基台１の操作空間１０内の押圧接点１０２に電気接触させ、必要時に定位台３の収容溝３２内の発光体３３を導通、発光させ、基台１、押圧分２及び定位台３を介して本考案の発光体を有するボタンスイッチを構成することができる。
且つ、全体の体積寸法が小さく、厚さが薄く、多くの空間を占有せず、ハイテクノロジー製品の製造時の軽薄短小の設計理念に適合し、押圧過程を短縮し、且つ押圧の手の感覚が比較的確実になり、空押しの押し間違いを発生し難く、スイッチの切り換え効果が良好であり、ボタンスイッチの使用効果を向上させることができる。
【００１７】
上記基台１は、操作空間１０外部表面、定位台３の２つの収容空間３０外部表面にそれぞれ相対組み立て、結合可能な接合部４を設け、接合部４は、基台１の操作空間１０外部表面にそれぞれ複数の固定柱４１を設け、定位台３の収容空間３０該表面に複数の定位孔４２を設けるか、接合部４の基台１の操作空間１０外部表面、定位台３の収容空間３０外部表面にそれぞれピン孔、定位孔４２を設け、挿入ピンを貫通設置させ、固定を達成することができる。
或いは、接合部４の基台１の操作空間１０外部表面、定位台３の収容空間３０外部表面にそれぞれ螺子孔、定位孔４２を設け、螺子、釘(螺釘）を貫通設置させ、ロック、定位の目的を達成することができ、定位台３を基台１上に結合、固定させることができ、また、押圧部２の押圧キー２４は、定位台３上方に位置し、透明又は半透明材質で形成されることができ、発光体３３が投射する光を押圧キー２４により保持させ、ボタンスイッチの使用状態を表示する目的を達成する。
【００１８】
図２、図４、図５、図６、図７を参照して説明する。
それは、本考案の立体分解図、側面断面図、押圧前の側面断面図、押圧後の側面断面図、好適実施例の立体外観図であり、図から明確に分かるように、本考案のボタンスイッチの使用操作時、押圧部２の押圧キー２４の押圧ブロック(押圧領域)２４２に対し、施力押圧することができる。
押圧キー２４は、下向きに移動キー２３の２つの側立板２３２を押し、２つの側立板２３２を定位台３の２つの貫通溝３１内へ押し動かし、移動キー２３底部に突出する支持面２３１により収容空間２０から弾性隔離片２２、金属弾性片２１を押し上げ、中央突起状の金属弾性片２１の中央に力を受けさせ、下向きに基台１の操作空間１０内の押圧接点１０２に電気接触し、押圧接点１０２及び二側の支持接点１０１は、金属弾性片２１を介して電気的導通状態を形成し、基台１周辺の各電極接続ピン１０３により、押圧接点１０２及び二側の支持接点１０１の導通信号を外向きに送り、同時に、定位台３の溶接ピン３２２を介して電極接触面３２１と発光体３３の電極ピン３３１を導通し、発光体３３を発光させ、光を投射させ、押圧キー２４を介して外向きに光を表示する。
【００１９】
また、ボタンスイッチを予め設けた回路板５上に取り付け定位し、ボタンスイッチの基台１外部の複数の電極接続ピン１０３、定位台３の溶接ピン３２２は、それぞれ予め設ける回路板５上に溶接、固定設置し、予め設ける回路板５を介してボタンスイッチのスイッチ押圧信号を伝送し、且つボタンスイッチの基台１、押圧部２、定位台３等は、いずれも扁平状の薄型設計を呈し、ボタンスイッチを構成後に体積は大きくなく、厚さも薄く、予め設ける回路板５上の多くの空間レイアウトを占有せず、電子、電気製品の軽薄短小の設計理念に適合することができる。
【００２０】
上記は、本考案の好適実施例というだけであり、本考案の権利範囲を制限するものではなく、本考案のボタンスイッチは、基台１内部の操作空間１０を利用し、押圧部２を取り付けさせ、押圧部２の金属弾性片２１、弾性隔離片２２及び移動キー２３を操作空間１０に堆積させ、移動キー２３上の２つの相対する側立板２３２を利用し、それぞれ定位台３の２つの貫通孔３１に通過させ、定位台３を基台１上に固定設置させ、且つ移動キー２３の２つの側立板２３２上部に更に押圧キー２４を取り付け、体積が小さく、厚さが薄く、空間を占有しないボタンスイッチを構成する目的を達成できる。
且つ、ハイテクノロジーの電子、電気製品の製造上の軽薄短小の設計理念に適合でき、押圧過程が短く、押圧の手の感覚が確実で、ボタンスイッチの実用効果を向上することができ、前記効果を達成可能な関連する設備、装置は、何れも本考案に含まれ、この種の簡易な修飾及び同等の効果をなす構造の変化は、何れも同様に本考案の権利範囲内に含まれるべきである。
【００２１】
上記本考案の発光体を有するボタンスイッチの実際の使用時、以下の各利点を有することができる：
（一）ボタンスイッチの基台１、押圧部２及び定位台３は、寸法が小さく、厚さが薄く、全体の体積が軽薄短小であり、多くの空間を占有せず、ハイテクノロジーの電子、電気製品の設計理念に適合する。
（二）ボタンスイッチの押圧過程が短く、押圧がより確実であり、スイッチの動作の確認が容易であり、ボタンスイッチの切り換え効果を向上することができる。
【００２２】
故に、本考案は、主にボタンスイッチの設計に対し、基台内部の操作空間を利用し、押圧部の金属弾性片、弾性隔離片を取り付け、更に、移動キーを堆積し、且つ移動キー上の２つの相対する側立板は、それぞれ定位台の２つの相対する貫通孔を通過し、定位台を基台上に組み立て、固定し、移動キーの２つの側立板上部は、押圧キーを取り付け、構成体積が小さく、厚さが薄く、空間を占有しないボタンスイッチを達成することを主な保護要点とし、ハイテクノロジー、電気製品の設計理念に適合し、且つ効率的な押圧過程を有し、押圧過程が確実で、ボタンスイッチのスイッチ効果が良好な利点を達成する。
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１  基台
１０  操作空間
１０１  支持接点
１０２  押圧接点
１０３  電極接続ピン
２  押圧部
２１  金属弾性片
２１１  縁辺
２２  弾性隔離片
２３  移動キー
２３１  支持面
２３２  側立板
２３３  限位溝
２３４  ラッチ
２４  押圧キー
２４１  溶接ソケット(溶接台)
２４１１  ラッチ溝
２４１２  嵌合体
２４２  押圧ブロック(押圧領域)
３  定位台
３０  収容空間
３１  貫通溝
３２  収容溝
３２１  電極接触面
３２２  溶接ピン
３３  発光体
３３１  電極ピン
４  接合部
４１  固定柱
４２  定位孔
５  回路板
Ａ  殻体
Ａ１  蓋体
Ａ２  ボタン
Ａ３  ダイオード素子
【図１】
0003189477.tif 000003
【図２】
0003189477.tif 000004
【図３】
0003189477.tif 000005
【図４】
0003189477.tif 000006
【図５】
0003189477.tif 000007
【図６】
0003189477.tif 000008
【図７】
0003189477.tif 000009
【図８】
0003189477.tif 000010